(57)【要約】      （修正有）【課題】気流の吐出量を減らすことなく、外径を小さくできる送風装置を提供する。【解決手段】ロータユニット１と、ステータユニット２と、軸受保持部３と、連結部５と、を備える。ロータユニットは、複数の動翼１３１を含むインペラ１３およびマグネット１２を有し、中心軸Ｃ周りに回転可能である。ステータユニットは、ステータコアと、ステータコアの一部を覆うインシュレータ７と、を備え、前記マグネットの径方向外側に配置される。軸受保持部は、ステータユニットの軸方向一方側に位置し、ロータユニットを回転可能に支持する軸受を保持する。連結部は、ステータユニットの軸方向一方側の端部と軸受保持部の軸方向他方側の端部とを固定する、送風装置Ａ。【選択図】図１
2020000669.tif 000002
【特許請求の範囲】
【請求項１】
複数の動翼を含むインペラおよびマグネットを有し、中心軸周りに回転可能なロータユニットと、
前記マグネットの径方向外側に配置されるステータユニットと、
前記ロータユニットを回転可能に支持する軸受を保持する軸受保持部と、を備え、
前記ステータユニットは、
ステータコアと、
前記ステータコアの一部を覆うインシュレータと、を備え、
前記軸受保持部は、前記ステータユニットの軸方向一方側に位置し、
前記ステータユニットの軸方向一方側の端部と前記軸受保持部の軸方向他方側の端部とを固定する連結部を備える、送風装置。
【請求項２】
前記連結部は、前記ステータコアの外側面よりも径方向内側に備えられる請求項１に記載の送風装置。
【請求項３】
前記連結部は、周方向に複数配置されている請求項１又は請求項２に記載の送風装置。
【請求項４】
前記ステータコアは、環状のコアバックと、前記コアバックから径方向内側に突出して周方向に間隔をあけて配置される複数のティースとを備え、
軸方向から見たとき、前記連結部は、周方向に隣り合うティースの間に配置される請求項１から請求項３のいずれかに記載の送風装置。
【請求項５】
前記連結部は、前記インシュレータの軸方向一方側の端部と前記軸受保持部の軸方向他方側の端部とを固定する請求項１から請求項４のいずれかに記載の送風装置。
【請求項６】
前記連結部は、前記インシュレータに設けられたフック部と、前記軸受保持部に設けられた挟み部とを備え、
前記フック部は、
前記インシュレータの軸方向一方側の端部から軸方向一方側に延びる延伸部と、
前記延伸部の先端から前記延伸部と交差する方向に延びるとともに軸方向他方側に面する固定面が形成された固定部と、を備え、
前記挟み部は、
前記フック部が挿入される挿入部と、
軸方向一方側に面するとともに前記挿入部に挿入された前記固定部の前記固定面が接触する接触面が形成された接触部とを備える請求項５に記載の送風装置。
【請求項７】
前記連結部は、前記インシュレータに設けられた挟み部と、前記軸受保持部に設けられたフック部とを備え、
前記フック部は、
軸受保持部の軸方向他方側の端部から軸方向他方側に延びる延伸部と、
前記延伸部の先端から前記延伸部と交差する方向に延びるとともに軸方向一方側に面する固定面が形成された固定部と、を備え、
前記挟み部は、
前記フック部が挿入される挿入部と、
軸方向他方側に面するとともに前記挿入部に挿入された前記固定部の前記固定面が接触する接触面が形成された接触部とを備える請求項５に記載の送風装置。
【請求項８】
前記連結部は、前記ステータコアに設けられた挟み部と、前記軸受保持部に設けられたフック部とを備え、
前記フック部は、
軸受保持部の軸方向他方側の端部から軸方向他方側に延びる延伸部と、
前記延伸部の先端から前記延伸部と交差する方向に延びるとともに軸方向一方側に面する固定面が形成された固定部と、を備え、
前記挟み部は、
前記フック部が挿入される挿入部と、
軸方向他方側に面するとともに前記挿入部に挿入された前記固定部の前記固定面が接触する接触面が形成された接触部とを備える請求項１から請求項４のいずれかに記載の送風装置。
【請求項９】
前記延伸部は、周方向に弾性変形可能である請求項６から請求項８のいずれかに記載の送風装置。
【請求項１０】
前記延伸部は、径方向に弾性変形可能である請求項６から請求項８のいずれかに記載の送風装置。
【請求項１１】
前記ステータユニットの軸方向一方側の端面は、前記軸受保持部に覆われている請求項１から請求項１０いずれかに記載の送風装置。
【請求項１２】
前記ステータコアの外側面の径方向外側に隙間を介して対向する筒状の風洞部をさらに備える請求項１から請求項１１のいずれかに記載の送風装置。
【請求項１３】
前記ステータコアの径方向外側面は前記インシュレータの外側に露出している、請求項１から請求項１２のいずれかに記載の送風装置。
【請求項１４】
外装ケースと、
前記外装ケースの内部に配置された請求項１から請求項１３のいずれかに記載の送風装置と、を備えるヘアドライヤ。
【発明の詳細な説明】
【技術分野】
【０００１】
本発明は、送風装置に関する。
【背景技術】
【０００２】
特許文献１に記載のヘアードライヤでは、送風ファンと、送風ファンを回転駆動するモータと、送風ファンにより加速された空気を加熱するヒータとがハウジング内に略同軸上で配設されている。モータは、支持脚によって保持された前方に開口する取付枠に収納されている。
【先行技術文献】
【特許文献】
【０００３】
【特許文献１】特公平０４―０３６６８３号公報
【発明の概要】
【発明が解決しようとする課題】
【０００４】
しかしながら、特許文献１に記載のヘアードライヤでは、モータが取付枠に覆われているため、モータが冷却されにくく、モータに供給する電流を大きくすることが難しい。そのため、モータの小型化が困難であり、ヘアードライヤの小型化が困難である。
【０００５】
本発明は、気流の吐出量を減らすことなく、外径を小さくできる送風装置を提供することを目的とする。
【課題を解決するための手段】
【０００６】
本発明の例示的な送風装置は、ロータユニットと、ステータユニットと、軸受保持部と、連結部と、を備える。ロータユニットは、複数の動翼を含むインペラおよびマグネットを有し、中心軸周りに回転可能である。ステータユニットは、ステータコアと、ステータコアの一部を覆うインシュレータと、を備え、前記マグネットの径方向外側に配置される。軸受保持部は、ステータユニットの軸方向一方側に位置し、ロータユニットを回転可能に支持する軸受を保持する。連結部は、ステータユニットの軸方向一方側の端部と軸受保持部の軸方向他方側の端部とを固定する。
【発明の効果】
【０００７】
本発明の例示的な送風装置によれば、気流の吐出量を減らすことなく、外径を小さくできる。
【図面の簡単な説明】
【０００８】
【図１】図１は、本実施形態にかかる送風装置の縦断面図である。
【図２】図２は、図１に示す送風装置の部分断面斜視図である。
【図３】図３は、本実施形態にかかる送風装置の横断面斜視図である。
【図４】図４は、本実施形態にかかる送風装置の横断面図である。
【図５】図５は、本実施形態にかかる送風装置の連結部を拡大した図である。
【図６】図６は、ステータユニットの斜視図である。
【図７】図７は、本発明の実施形態に係る第１変形例の連結部の断面図である。
【図８】図８は、本発明の実施形態に係る第２変形例の連結部の断面図である。
【図９】図９は、本発明の実施形態に係る第３変形例の送風装置の連結部を示す図である。図１０は、ステータユニットの斜視図である。
【図１０】図１０は、ステータユニットの斜視図である。
【図１１】図１１は、本発明の実施形態に係る第４変形例の送風装置の連結部を示す図である。
【図１２】図１２は、本発明の実施形態に係る第５変形例の送風装置の連結部を示す図である。
【図１３】図１３は、本発明の実施形態に係る第６変形例の送風装置の連結部を示す図である。
【図１４】図１４は、本発明にかかる送風装置の利用例の一例であるヘアドライヤについて図面を参照して説明する。
【発明を実施するための形態】
【０００９】
以下、本発明の例示的な実施形態について、図面を参照しながら詳細に説明する。本書では、送風装置の中心軸が延びる方向を単に「軸方向」と呼び、送風装置の中心軸を中心として中心軸と直交する方向を単に「径方向」と呼び、送風装置の中心軸を中心とする円弧に沿う方向を単に「周方向」と呼ぶ。そして、図面上において、必要に応じて径方向をＤｄと示し、周方向をＲｄと示す。
【００１０】
また、本書では、説明の便宜上、軸方向を上下方向とし、図１における上下方向を送風装置の上下方向として各部の形状及び位置関係を説明する。送風装置の「上側」が「吸気側」であり、「下側」が「排気側」である。なお、この上下方向の定義が送風装置の使用時の向き及び位置関係を限定するものではない。また、本書では、軸方向に平行な断面を「縦断面」と呼び、軸方向に垂直な断面を「横断面」と呼び、軸方向に垂直な切断部端面を「横端面」と呼ぶ。
【００１１】
＜１．送風装置の全体構成＞
図１は、本実施形態にかかる送風装置の縦断面図である。図２は、図１に示す送風装置の部分断面斜視図である。図３は、本実施形態にかかる送風装置の横断面斜視図である。図４は、本実施形態にかかる送風装置の横断面図である。図５は、本実施形態にかかる送風装置の連結部を拡大した図である。図６は、ステータユニットの斜視図である。送風装置Ａは、ロータユニット１と、ステータユニット２と、軸受保持部３と、風洞部４と、連結部５とを備える。
【００１２】
＜１．１  ロータユニット１＞
図１に示すとおり、ロータユニット１は、ステータユニット２の径方向内側に配置される。ロータユニット１は、上下に延びる中心軸Ｃ回りに回転可能に配置される。すなわち、ロータユニット１は、中心軸Ｃ周りに回転可能である。ロータユニット１は、シャフト１１と、マグネット１２と、インペラ１３とを備える。
【００１３】
＜１．１．１  シャフト１１＞
シャフト１１は、円柱状である。シャフト１１は、中心軸Ｃに沿って配置される。シャフト１１は、後述する軸受３１、３２によって、軸受保持部３に対して、回転可能に支持される。
【００１４】
＜１．１．２  マグネット１２＞
マグネット１２は、円筒形状である。マグネット１２は、内側に挿入されたシャフト１１に直接、または、間接的に固定される。マグネット１２は、ステータユニット２の後述するステータコア６の径方向内方に配置される。マグネット１２は、径方向においてステータコア６と径方向に間隙をあけて対向する。なお、マグネット１２とシャフト１１との固定は、圧入、接着で行われる。しかしながら、これに限定されず、マグネット１２をシャフト１１に強固に固定できる固定方法を広く採用することができる。図１に示すように、マグネット１２は、シャフト１１の下端部に固定される。
【００１５】
＜１．１．３  インペラ１３＞
インペラ１３は、風洞部４の径方向内方に配置される。インペラ１３は、ロータユニット１及びステータユニット２の上方に配置される。インペラ１３は、シャフト１１に直接、または、間接的に固定される。図１に示すように、インペラ１３は、シャフト１１の上端部に固定される。インペラ１３は、ロータユニット１の回転によって上下に延びる中心軸Ｃ回りに回転される。インペラ１３は、周方向に等間隔に配列された複数の動翼１３１を備える。すなわち、ロータユニット１は、複数の動翼１３１を含むインペラ１３およびマグネット１２を有する。インペラ１３は、中心軸Ｃ周りに回転することで、軸方向上方から下方に気流が発生する。
【００１６】
＜１．２  ステータユニット２＞
ステータユニット２は、風洞部４の内部に配置される。ステータユニット２は、ロータユニット１よりも径方向外側に配置される。さらに説明すると、ステータユニット２は、マグネット１２の径方向外側に配置される。ステータユニット２は、ステータコア６と、インシュレータ７と、コイル２１とを備える。
【００１７】
＜１．２．１  ステータコア６＞
ステータコア６は中心軸Ｃを中心とする環状である。ステータコア６は、複数枚のケイ素鋼板等の電磁鋼板を上下方向に積層して構成される。ステータコア６は、コアバック６１と、複数個（ここでは、６個）のティース６２とを備える。コアバック６１は、中心軸Ｃを中心とする環状である。複数個のティース６２は、コアバック６１から径方向に突出する。複数個のティース６２は、周方向に等間隔で配置される。すなわち、ステータコア６は、環状のコアバック６１と、コアバック６１から径方向内側に突出して周方向に間隔をあけて配置される複数のティース６２とを備える。
【００１８】
＜１．２．２  コイル２１＞
コイル２１は、インシュレータ７を介して、ステータコア６の各ティース６２の周囲に巻き回された導線で構成される。
【００１９】
＜１．２．３  インシュレータ７＞
インシュレータ７は、ステータコア６の周囲に配置される。インシュレータ７は、ステータコア６の少なくとも一部を覆う。インシュレータ７は、コアバック６１の上面及び下面と、ティース６２とを覆う。さらに説明すると、ティース６２の内周部であってロータユニット１のマグネット１２と対向する領域と、コアバック６１の外周面とは、インシュレータ７から外側に露出する。すなわち、ステータコア６の径方向外側面はインシュレータ７の外側に露出している。なお、図１等に示すとおり、コアバック６１は、インシュレータ７よりも径方向外側に突出している。そのため、ステータコア６で発生する熱をコアバック６１を介して、外部に放出できる。これにより、熱による効率の低下を抑制できる。
【００２０】
インシュレータ７は、ステータコア６とコイル２１との間に配置される。インシュレータ７は、周方向に複数のティース６２と同数に分割され、複数のティース６２に対して個別に配置される。インシュレータ７は、例えば合成樹脂等の絶縁性を有する部材である。
【００２１】
また、インシュレータ７は、上インシュレータ７１と、下インシュレータ７２と、を備える。上インシュレータ７１は、コアバック６１及びティース６２の上側を覆う。下インシュレータ７２は、コアバック６１及びティース６２の下側を覆う。上インシュレータ７１の下端と下インシュレータ７２の上端とは、接触する。
【００２２】
ステータユニット２は、例えば６つに分割可能である。なお、本実施形態において、分割数は６つであるが、６つに限定されるわけではなく、他の数であっても良い。ステータユニット２は、周方向に配列される。ステータコア６及びインシュレータ７もステータユニット２と同数で分割される。
【００２３】
図６に示すように、上インシュレータ７１及び下インシュレータ７２は、分割されたステータユニット２ごとに設けられている。しかしながら、これに限定されず、上インシュレータ７１及び下インシュレータ７２は、それぞれ、一体成形体であってもよい。
【００２４】
コイル２１は、インシュレータ７に覆われたティース６２に導線を巻き回して形成される。インシュレータ７は、絶縁性を有しており、コイル２１とティース６２とを絶縁する。コイル２１を構成する導線に電気（電流）を供給することで、コイル２１及びコイル２１が巻き回されたティース６２は励磁される。送風装置Ａでは、励磁されたティース６２とマグネット１２とが磁力によって引き合う又は反発することで、ロータユニット１が回転する。すなわち、ロータユニット１およびステータユニット２は、いわゆる、モータを構成する。
【００２５】
＜１．３  軸受保持部３＞
軸受保持部３は、ステータユニットの上方に配置される。軸受保持部３は内部に、上下に隙間をあけて軸受３１、３２を保持する。軸受３１、３２として、例えば、ボールベアリングを挙げることができる。しかしながら、これに限定されない。軸受３１、３２は、スリーブ軸受等によって構成されてもよい。軸受３１、３２の構成は、シャフト１１の回転数、回転トルク、回転精度、送風装置Ａの取付性、メンテナンス性等を考慮して決定される。軸受３１、３２が上下、つまり、軸方向に隙間をあけて配置されることで、シャフト１１が回転中に振れたり、振動したりしにくい。シャフト１１の回転精度を向上できる。また、マグネット１２は、軸受保持部３よりも下方に配置され、インペラ１３は、軸受保持部３よりも上方に配置される。
【００２６】
また、軸受保持部３の下端部には、ステータユニット２と接触する接触部３３を備える。接触部３３は、円筒形状であり、上インシュレータ７１の外形よりも大きい外形を有する。そして、接触部３３の上端部は、内側に延びるフランジ部３４を備える。上インシュレータ７１は、接触部３３の内部に配置される。そして、上インシュレータ７１の上面は、フランジ部３４と接触する。すなわち、ステータユニット２の軸方向一方側の端面は、軸受保持部３に覆われる。これにより、ロータユニット１への塵、埃等の異物の混入を抑制できる。このため、ロータユニット１の動作が不安定になりにくく、長期間にわたり安定した送風動作が可能である。
【００２７】
＜１．４  風洞部４＞
風洞部４は、インペラ１３及びステータユニット２よりも径方向外側に配置される。すなわち、送風装置Ａは、ステータコア６の外側面の径方向外側に隙間を介して対向する筒状の風洞部４をさらに備える。そして、風洞部４の内壁面と、ステータユニット２の外壁面及び軸受保持部３の外壁面との間隙が流路ＦＷである。風洞部４は、軸方向に垂直な断面が円形の筒状である。風洞部４の内部には複数のリブ４１を備える。リブ４１は、風洞部４と、軸受保持部３との間に配置される。リブ４１は、風洞部４の内周面と軸受保持部３の外周面とを接続する。つまり、リブ４１は、流路ＦＷ内部に配置される。リブ４１は、軸方向下方に伸びている。そして、リブ４１の径方向外側の端部は風洞部４のステータユニット２と径方向に対向する部分と接続する。風洞部４を備えることで、ステータユニット２の周囲を流れる空気の流れを作り出すことができ、ステータコア６を効果的に冷却できる。
【００２８】
なお、本実施形態では、軸受保持部３と、風洞部４と、リブ４１と、軸受保持部３とが同一部材で構成されるが、互いに独立した別個の部材で構成されていても良い。そして、複数のリブ４１は、周方向に所定間隔で配置され、それぞれ上下方向に延びる。リブ４１の下部は、リブ４１の上部に対して、インペラ１３の回転方向前方側に向かって湾曲する。
【００２９】
さらに、送風装置Ａは、風洞部４と、ステータユニット２との間に、流路ＦＷを形成することができる。ステータユニット２のコアバック６１が流路ＦＷに対して露出する。すなわち、ステータコア６の径方向外側面はインシュレータ７の外部に露出しているそのため、ステータユニット２の冷却作用を向上させることが可能である。また、連結部５と風洞部４とを接続するリブ４１が静翼形状であるので、風洞部４と、ステータユニット２及び軸受保持部３、との間の流路ＦＷを流れる気流の整流が可能になる。
【００３０】
＜１．５  連結部５＞
連結部５は、ステータユニット２の軸方向上側の端部と、軸受保持部３の軸方向下側の端部とを固定する。すなわち、送風装置Ａは、ステータユニット２の軸方向一方側の端部と軸受保持部３の軸方向他方側の端部とを固定する連結部５を備える。
【００３１】
図４に示すように、送風装置Ａは、６つの連結部５を備える。そして、軸方向から見たとき、６つの連結部５は、周方向に等間隔で配置される。すなわち、連結部５は、周方向に複数配置されている。連結部５が複数配置されていることで、ステータユニット２と軸受保持部３との固定をより強固にできる。連結部５は、等間隔に配置されることで、ステータユニット２と軸受保持部３とを安定して固定される。なお、等間隔でなくてもよい。
【００３２】
そして、軸方向から見たとき、各連結部５は、隣り合うティース６２の間に配置される。すなわち、軸方向から見たとき、連結部５は、周方向に隣り合うティース６２の間に配置される。これにより、インシュレータ７の成型用金型の形状を簡略化できる。そのため、インシュレータ７の製造が容易になる。また、コイル２１を構成するときの巻線作業の邪魔になりにくく、作業性が高くなる。
【００３３】
そして、連結部５は、フック部５１と、挟み部５２とを備える。フック部５１はインシュレータ７に設けられ、挟み部５２は、軸受保持部３に設けられる。すなわち、連結部５は、インシュレータ７に設けられたフック部５１と、軸受保持部３に設けられた挟み部５２と、を備える。これにより、インシュレータ７を成形するときに同時にフック部５１を成形できる。また、フック部５１を挟み部５２に組み合わせることで、ステータユニット２と軸受保持部３とを固定できるため、組み立てが容易である。
【００３４】
そして、連結部５は、ステータコア６の外側面よりも径方向内側に備えられることが好ましい。ステータコア６の外側面よりも連結部５が径方向内側に配置されるため、インペラ１３の回転による気流がステータコアに効果的に接触する。そのため、ステータコア６の冷却効果が高くなる。なお、ステータコア６を十分に気流で冷却可能な場合、連結部５の配置場所については、ステータコア６の外側面よりも径方向外側であってもよい。
【００３５】
＜１．５．１  フック部５１＞
図５、図６等に示すように、フック部５１は、インシュレータ７の上インシュレータ７１の上面から上方に延びる。なお、フック部５１は、上インシュレータ７１と一体で形成される。図５、図６等に示すように、フック部５１は、延伸部５１１と、固定部５１２とを備える。
【００３６】
延伸部５１１は、上インシュレータ７１の上面から上方に延びる。また、固定部５１２は、延伸部５１１の上端部から周方向に延びる。固定部５１２は軸方向下端部に固定面５１３を備える。すなわち、フック部５１は、インシュレータ７の軸方向一方側の端部から軸方向一方側に延びる延伸部５１１と、延伸部５１１の先端から延伸部５１１と交差する方向に延びるとともに軸方向他方側に面する固定面５１３が形成された固定部５１２と、を備える。
【００３７】
固定部５１２は、例えば、ロータユニット１の回転方向と反対方向に突出する。これにより、ロータユニット１の回転による反力がステータユニット２に作用した場合であっても、連結部５による、ステータユニット２と軸受保持部３との固定が維持される。
【００３８】
＜１．５．２  挟み部５２＞
挟み部５２は、軸受保持部３のフランジ部３４に形成される。フランジ部３４には、６つの挟み部５２が備えられる。６つの挟み部５２は、周方向に等間隔で配置される。挟み部５２は、挿入部５２１と、接触部５２２とを備える。そして、挿入部５２１は、フランジ部３４を軸方向に貫通する貫通孔である。軸方向に見て、挿入部５２１は、中心軸を中心とした円弧に沿って、つまり、周方向に延びる。
【００３９】
挿入部５２１の周方向の長さは、フック部５１を軸方向から見たときの周方向の長さと同じかそれよりも長い。そのため、フック部５１と挿入部５２１とを軸方向に重ねて配置することで、フック部５１を挿入部５２１に挿入可能である。挿入部５２１の径方向の幅は、周方向において、ロータユニット１の回転方向後方側が狭い。なお、挿入部５２１およびフック部５１は、中心軸Ｃを中心とする周方向に湾曲していることが好ましい。
【００４０】
接触部５２２は、フランジ部３４の上面に形成される。そして、接触部５２２は、フランジ部３４の上面の挿入部５２１と隣接する部分に、フック部５１の固定部５１２の固定面５１３が接触する接触面５２３を備える。すなわち、挟み部５２は、フック部５１が挿入される挿入部５２１と、軸方向一方側に面するとともに挿入部５２１に挿入された固定部５１２の固定面５１３が接触する接触面５２３が形成された接触部５２２とを備える。
【００４１】
図５に示すように、フック部５１の延伸部５１１は、挿入部５２１の軸方向長さと同じ長さを有する。そのため、フック部５１を挿入部５２１に挿入したときに、固定面５１３と接触面５２３と軸方向の位置が重なる。
【００４２】
＜１．５．３  連結部５による固定＞
連結部５によるステータユニット２と軸受保持部３との固定方法について説明する。まず、ステータユニット２と軸受保持部３とを６つのフック部５１と６つの挟み部５２とをそれぞれ軸方向に重ねて配置する。そして、６つのフック部５１を６つの挿入部５２１のそれぞれに挿入する。このとき、フック部５１の固定部５１２は、フランジ部３４の上方に突出する。そして、ステータユニット２をロータユニット１の回転方向と逆方向に回転させることで、固定部５１２の固定面５１３は、接触部５２２の接触面５２３と接触する。
【００４３】
ステータユニット２は、軸受保持部３に対して、軸方向に固定される。また、挿入部５２１の径方向の幅は、周方向において、ロータユニット１の回転方向後方側が狭い。そのため、フック部５１に延伸部５１１が、挿入部５２１に挟まれる。これにより、フック部５１と挟み部５２とが固定されて、上インシュレータ７１と軸受保持部３とが固定される。すなわち、連結部５は、インシュレータ７の軸方向一方側の端部と軸受保持部３の軸方向他方側の端部とを固定する。また、インシュレータ７は、ステータユニット２に含まれる。ステータユニット２と軸受保持部３とが固定される。そのため、送風装置Ａは、ステータユニット２の軸方向一方側の端部と軸受保持部３の軸方向他方側の端部とを固定する連結部５を備える。そのため、ステータユニット２の径方向外側を保持する部材が無くても、ステータユニット２を保持できる。これにより、ステータコア６の一部がインシュレータ７の外部に露出するため、ステータユニット２の冷却効率が高くなる。
【００４４】
以上のように、連結部５によって、ステータユニット２と軸受保持部３とが固定される。つまり、連結部５によって、ステータユニット２は、風洞部４に対して固定される。そして、フック部５１がステータユニット２のインシュレータ７と一体に形成されるとともに、挟み部５２を軸受保持部３のフランジ部３４に形成することで、ステータユニット２を風洞部４に固定するための固定用の部材が不要である。
【００４５】
そのため、送風装置Ａでは、構成部材を減らすことができる。これにより、製造に要するコストを減らすことができるとともに、軽量化が可能である。また、フック部５１を挟み部５２に挿入して、ステータユニット２を中心軸Ｃ周りに回転させることで組み立てられるため、送風装置Ａの組み立てが容易である。
【００４６】
上記構成の送風装置Ａにおいて、コイル２１に駆動電流が供給されると、ティース６２に径方向の磁束が生じる。ステータユニット２のこの磁束によって生じる磁界と、マグネット１２によって生じる磁界とが作用し、ロータユニット１にトルクが生じる。このトルクによって、ロータユニット１及びインペラ１３が、中心軸Ｃを中心として回転する。インペラ１３が回転すると、複数の動翼１３１によって気流が生じる。すなわち、送風装置Ａにおいて、上側を吸気側とし、下側を排気側とした気流を生じさせ、送風を行うことができる。送風装置Ａで生じた気流は、風洞部４とステータユニット２との間を通過する。
【００４７】
送風装置Ａにおいて、ステータユニット２のコアバック６１の径方向外面がインシュレータ７の外側に露出する。
【００４８】
本実施形態の送風装置Ａによると、ステータユニット２のコアバック６１の径方向外面がインシュレータ７の外側に露出する。コアバック６１は、インペラ１３の回転による気流で冷却される。これにより、コアバック６１より延びるティース６２に巻き回されるコイル２１の冷却も可能である。つまり、気流によって、ステータユニット２を効率よく冷却できる。
【００４９】
以上のことから、本実施形態の送風装置Ａでは、ステータユニット２の外形を覆うカバーが不要であり、ステータコア６の外側面をインシュレータ７の外面に露出させることができる。これにより、ステータユニット２の冷却効率を高めることが可能である。そのため、コイル２１に多くの電流を流すことができる。これにより、送風量を低下させることなく、送風装置Ａを小型化することが可能である。なお、ステータユニット２サイズを変更することなく、径方向外部を覆うカバーを無くすことで、ステータユニット２と風洞部４との径方向の隙間を大きくできる。これにより、送風装置Ａの内部を流れる空気の量、すなわち、吐出量を増やすことができる。
【００５０】
＜２．送風装置の第１変形例＞
図７は、本発明の実施形態に係る第１変形例の連結部の断面図である。なお、本変形例の送風装置は連結部５ｂの構成以外、実施形態と同じである。そのため、本変形例においては、連結部５ｂ以外の詳細な説明は省略する。図７に示すように、連結部５ｂは、フック部５１ｂと、挟み部５２ｂとを備える。連結部５ｂは、連結部５と同数、すなわち、６つである。
【００５１】
＜２．１  フック部５１ｂ＞
フック部５１ｂは、延伸部５１１ｂと、固定部５１２ｂとを備える。延伸部５１１ｂは、上インシュレータ７１の上面から上方に突出する。延伸部５１１ｂは、軸方向に延びる板状であり、長手方向が軸方向に沿っており、短手方向が周方向に沿っている。つまり、延伸部５１１ｂは、径方向から見たときに、軸方向が長辺である長方形状である。延伸部５１１ｂは、下端部が径方向に弾性的に変位可能である。すなわち、延伸部５１１ｂは、径方向に弾性変形可能である。
【００５２】
固定部５１２ｂは、延伸部５１１ｂの上端部から径方向外側に向かって突出する。固定部５１２ｂは、固定面５１３ｂと、傾斜面５１４ｂとを備える。固定面５１３ｂは、固定部５１２ｂの下面である。固定面５１３ｂは、中心軸Ｃと直交する面である。傾斜面５１４ｂは、上端部から下方に向かって、径方向に拡がる。そして、傾斜面５１４ｂの下端は、固定面５１３ｂの径方向外縁と接続する。つまり、固定部５１２ｂは、上方に向かって径方向に細くなる楔形である。すなわち、フック部５１ｂは、いわゆる、スナップフィットである。すなわち、延伸部５１１ｂは、径方向に弾性変形可能である。延伸部５１１ｂが弾性変形するため、ステータユニット２を軸受保持部３に軸方向に接近させるだけ固定できる。これにより、組み立てが容易である。
【００５３】
＜２．２  挟み部５２ｂ＞
挟み部５２ｂは、軸受保持部３のフランジ部３４に形成される。挟み部５２ｂは、挿入部５２１ｂと、接触部５２２ｂとを備える。そして、挿入部５２１ｂは、フランジ部３４を軸方向に貫通する貫通孔である。挿入部５２１ｂの周方向の長さは、延伸部５１１ｂを軸方向から見たときの周方向の長さと同じかそれよりも長い。そして、挿入部５２１ｂの径方向の幅は、フック部５１ｂを軸方向から見たときの径方向の幅と同じかそれよりも大きい。
【００５４】
接触部５２２ｂは、フランジ部３４の上面に形成される。そして、接触部５２２ｂは、フランジ部３４の上面の挿入部５２１ｂと隣接する部分に、フック部５１ｂの固定部５１２ｂの固定面５１３ｂが接触する接触面５２３ｂを備える。
【００５５】
＜２．３  連結部５ｂによる固定＞
連結部５ｂによるステータユニット２と軸受保持部３との固定方法について説明する。まず、ステータユニット２と軸受保持部３とを６つのフック部５１ｂと６つの挟み部５２ｂとをそれぞれ軸方向に重ねて配置する。軸方向から見て、フック部５１ｂの傾斜面５１４ｂの一部は、挟み部５２ｂよりも径方向外側に位置する。この状態で、ステータユニット２を軸方向下方に移動させる。傾斜面５１４ｂは、フランジ部３４の下面の挿入部５２１ｂの辺縁部分と接触する。
【００５６】
この状態でステータユニット２を軸方向上方に移動させることで、傾斜面５１４ｂは挿入部５２１ｂの内面に押される。これにより、延伸部５１１ｂは、径方向に弾性変形する。そして、固定部５１２ｂがフランジ部３４の上面より上方に移動したとき、固定部５１２ｂに挿入部５２１ｂから作用する力が解放される。そのため、弾性変形している延伸部５１１ｂは元に戻る。固定部５１２ｂの固定面５１３ｂが挟み部５２ｂの接触面５２３ｂと軸方向に接触する。これにより、ステータユニット２と軸受保持部３とが軸方向に離れるのを抑制する。また、延伸部５１１ｂが挿入部５２１ｂに挿入されているため、ステータユニット２と軸受保持部３との周方向の相対移動が制限される。つまり、ステータユニット２と軸受保持部３とは、連結部５ｂによって固定される。
【００５７】
なお、第１変形例において、挿入部５２１ｂは、貫通孔であるが、これに限定されない。例えば、径方向に凹む凹部であってもよい。また、軸受保持部３の上端部の外面又は内面に形成され、径方向に凹む凹部であってもよい。この場合、ステータユニット２を軸方向に移動したときに、軸受保持部３の上端部によって延伸部５１１ｂが弾性変形される。そして、軸方向に一定量移動したときに、固定部５１２ｂが挿入部に挿入される。これにより、連結部５ｂが、ステータユニット２と軸受保持部３とが固定される。
【００５８】
なお、本変形例において、固定部５１２ｂは、径方向外側に突出しているが、これに限定されない。例えば、径方向内側に突出していてもよい。この場合、挿入部５２１ｂの径方向内側の辺縁部に形成される接触面５２３ｂに固定面５１３ｂと接触して、固定される。
【００５９】
＜３．送風装置の第２変形例＞
図８は、本発明の実施形態に係る第２変形例の連結部の断面図である。なお、本変形例の送風装置は連結部５ｃの構成以外、実施形態と同じである。そのため、本変形例において、連結部５ｃ以外の詳細な説明は省略する。図８に示すように、連結部５ｃは、フック部５１ｃと、挟み部５２ｃとを備える。
【００６０】
＜３．１  フック部５１ｃ＞
フック部５１ｃは、延伸部５１１ｃと、固定部５１２ｃとを備える。延伸部５１１ｃは、上インシュレータ７１の上面から上方に突出する。延伸部５１１ｃは、軸方向に延びる板状であり、長手方向が軸方向に沿っており、短手方向が径方向に沿っている。つまり、延伸部５１１ｃは、周方向から見たときに、軸方向が長辺である長方形状である。延伸部５１１ｃは、上端部が周方向に弾性的に変位可能である。
【００６１】
固定部５１２ｃは、延伸部５１１ｃの上端部から径方向外側に向かって突出する。固定部５１２ｃは、固定面５１３ｃと、傾斜面５１４ｃとを備える。固定面５１３ｃは、固定部５１２ｃの下面である。固定面５１３ｃは、中心軸Ｃと直交する面である。傾斜面５１４ｃは、上端部から下方に向かって、径方向に拡がる。そして、傾斜面５１４ｃの下端は、固定面５１３ｃの径方向外縁と接続する。つまり、固定部５１２ｃは、上方に向かって径方向に細くなる楔形である。すなわち、フック部５１ｃは、いわゆる、スナップフィットである。すなわち、延伸部５１１ｃは、周方向に弾性変形可能である。延伸部５１１ｃが弾性変形するため、ステータユニット２を軸受保持部３に軸方向に接近させるだけ固定できる。これにより、組み立てが容易である。
【００６２】
＜３．２  挟み部５２ｃ＞
挟み部５２ｃは、軸受保持部３のフランジ部３４に形成される。挟み部５２ｃは、挿入部５２１ｃと、接触部５２２ｃとを備える。そして、挿入部５２１ｃは、フランジ部３４を軸方向に貫通する貫通孔である。挿入部５２１ｃの径方向の長さは、延伸部５１１ｃを軸方向から見たときの径方向の長さと同じかそれよりも長い。そして、挿入部５２１ｃの径方向の幅は、フック部５１ｃを軸方向から見たときの径方向の幅と同じかそれよりも大きい。
【００６３】
接触部５２２ｃは、フランジ部３４の上面に形成される。そして、接触部５２２ｃは、フランジ部３４の上面の挿入部５２１ｃと隣接する部分に、フック部５１ｃの固定部５１２ｂの固定面５１３ｃが接触する接触面５２３ｃを備える。
【００６４】
なお、連結部５ｃによる、ステータユニット２と軸受保持部３との固定は、延伸部５１１ｃが周方向に弾性変形する以外、連結部５ｂによるステータユニット２と軸受保持部３との固定と同じである。
【００６５】
第１変形例、第２変形例に示すように、延伸部５１１ｂ、５１１ｃが弾性変形する構成であるため、送風装置Ａの組み立てが容易である。
【００６６】
＜４．送風装置の第３変形例＞
図９は、本発明の実施形態に係る第３変形例の送風装置の連結部を示す図である。図１０は、ステータユニットの斜視図である。本変形例では、ステータユニット２ｄのインシュレータ７ｄ及び連結部５ｄの構成以外、実施形態のステータユニット２のインシュレータ７及び連結部５と同じ構成を有している。そのため、本変形例において、インシュレータ７ｄ、連結部５ｄ以外の詳細な説明を省略する。図９に示すように、第３変形例における連結部５ｄは、フック部５１ｄと、挟み部５２ｄとを備える。フック部５１ｄは軸受保持部３に備えられ、挟み部５２ｄはインシュレータ７ｄに備えられる。すなわち、連結部５ｄは、インシュレータ７に設けられた挟み部５２ｄと、軸受保持部３に設けられたフック部５１ｄとを備える。フック部５１ｄを挟み部５２ｄに組み合わせることで、ステータユニット２と軸受保持部３とを固定できる。そのため、組み立てが容易である。
【００６７】
上インシュレータ７１ｄの上端には、径方向に繋がる梁状部７１１を備える。梁状部７１１は、上インシュレータ７１ｄの上端部に設けられるとともに、径方向に延びる板状である。そして、梁状部７１１は、６つ備えられており、隣り合うティース６２の間に配置される。
【００６８】
＜４．１  フック部５１ｄ＞
図９に示すように、フック部５１ｄは、軸受保持部３の下面に備えられる。そして、フック部５１ｄは、軸方向下方に延びる。なお、フック部５１ｄは、軸受保持部３と一体で形成される。図９に示すように、フック部５１ｄは、延伸部５１１ｄと、固定部５１２ｄとを備える。
【００６９】
延伸部５１１ｄは、軸受保持部３の下面から下方に延びる。また、固定部５１２ｄは、延伸部５１１ｄの下端部から周方向に延びる。固定部５１２ｄは軸方向上端部に固定面５１３ｄを備える。固定部５１２は、例えば、ロータユニット１の回転方向と反対方向に突出する。これにより、ロータユニット１の回転による反力がステータユニット２に作用した場合であっても、連結部５ｄによる、ステータユニット２と軸受保持部３との固定が維持される。すなわち、フック部５１ｄは、軸受保持部３の軸方向他方側の端部から軸方向他方側に延びる延伸部５１１ｄと、延伸部５１１ｄの先端から延伸部５１１ｄと交差する方向に延びるとともに軸方向一方側に面する固定面５１３ｄが形成された固定部５１２ｄと、を備える。
【００７０】
＜４．２  挟み部５２ｄ＞
挟み部５２ｄは、上インシュレータ７１ｄに備えられる。上インシュレータ７１ｄの梁状部７１１には、６つの挟み部５２ｄが備えられる。６つの挟み部５２ｄは、周方向に等間隔で配置される。挟み部５２ｄは、挿入部５２１ｄと、接触部５２２ｄとを備える。そして、挿入部５２１ｄは、上インシュレータ７１ｄの一部を軸方向に貫通する貫通孔である。挿入部５２１ｄは、挿入部５２１ｄの周方向の長さは、フック部５１ｄを軸方向から見たときの周方向の長さと同じかそれよりも長い。そのため、フック部５１ｄと挿入部５２１ｄとを軸方向に重ねて配置することで、フック部５１ｄを挿入部５２１ｄに挿入可能である。挿入部５２１ｄの径方向の幅は、周方向において、ロータユニット１の回転方向後方側が狭い。なお、挿入部５２１ｄおよびフック部５１ｄは、中心軸Ｃを中心とする周方向に湾曲していることが好ましい。
【００７１】
接触部５２２ｄは、梁状部７１１の下面に形成される。そして、接触部５２２ｄは、梁状部７１１の下面の挿入部５２１ｄと隣接する部分に、フック部５１ｄの固定部５１２ｄの固定面５１３ｄが接触する接触面５２３ｄを備える。すなわち、挟み部５２ｄは、フック部５１ｄが挿入される挿入部５２１ｄと、軸方向他方側に面するとともに挿入部５２１ｄに挿入された固定部５１２ｄの固定面５１３ｄが接触する接触面５２３ｄが形成された接触部５２２ｄとを備える。
【００７２】
なお、連結部５ｄによる、ステータユニット２と軸受保持部３との固定は、連結部５によるステータユニット２と軸受保持部３との固定と同じである。すなわち、フック部５１ｄを挟み部５２ｄに挿入し、ステータユニット２を中心軸Ｃ周りにロータユニット１の回転方向Ｒ１と逆方向に回転させる。これにより、ステータユニット２と軸受保持部３とを固定できる。
【００７３】
＜５．送風装置の第４変形例＞
図１１は、本発明の実施形態に係る第４変形例の送風装置の連結部を示す図である。本変形例の連結部５ｅでは、挟み部５２ｅがステータコア６に設けられている以外、第３実施形態の連結部５ｄと同じ構成を有している。そのため、本変形例において、連結部５ｅ以外の詳細な説明は省略する。図１１に示すように、第４変形例における連結部５ｅは、フック部５１ｄと、挟み部５２ｅとを備える。フック部５１ｄは軸受保持部３に備えられ、挟み部５２ｄはインシュレータ７に備えられる。すなわち、連結部５ｅは、ステータコア６に設けられた挟み部５２ｅと、軸受保持部３に設けられたフック部５１ｄとを備える。軸受保持部３を成形するときに同時にフック部５１ｄを成形できる。
【００７４】
＜５．１  挟み部５２ｅ＞
挟み部５２ｅは、ステータコア６に形成される。ステータコア６のコアバック６１に、６つの挟み部５２ｅが備えられる。６つの挟み部５２ｅは、周方向に等間隔で配置される。挟み部５２ｅは、挿入部５２１ｅと、接触部５２２ｅとを備える。挿入部５２１ｅは、コアバック６１の上面から軸方向下方に凹む凹部である。そして、挿入部５２１ｅの凹部の最奥部、つまり、軸方向下端部から、周方向に延びる横穴状の接触部５２２ｅを備える。接触部５２２ｅの上面には、フック部５１ｄの固定面５１３ｄと接触する接触面５２３ｅを備える。
【００７５】
挿入部５２１ｅの周方向の長さは、フック部５１ｅを軸方向から見たときの周方向の長さと同じかそれよりも長い。そのため、フック部５１ｄと挿入部５２１ｅとを軸方向に重ねて配置することで、フック部５１ｄを挿入部５２１ｅに挿入可能である。挿入部５２１ｅの径方向の幅は、周方向において、ロータユニット１の回転方向後方側が狭い。なお、挿入部５２１ｅおよびフック部５１ｄは、中心軸Ｃを中心とする周方向に湾曲していることが好ましい。
【００７６】
すなわち、挟み部５２ｄは、フック部５１ｄが挿入される挿入部５２１ｅと、軸方向他方側に面するとともに挿入部５２１ｅに挿入された固定部５１２ｄの固定面５１３ｄが接触する接触面５２３ｅが形成された接触部５２２ｅとを備える。また、フック部を挟み部に組み合わせることで、ステータユニットと軸受保持部とを固定できるため、組み立てが容易である。
【００７７】
なお、本変形例におけるステータコア６は、複数枚の電磁鋼板を軸方向に並べて積層した積層体である。そして、各層を構成する電磁鋼板に挟み部５２ｅを構成する貫通孔もしくは凹部を設けておき、積層することで挟み部５２ｅが形成される。例えば、ステータコア６用いる場合、挟み部５２ｅを内部に形成することは難しい。そこで、一体的に形成されたステータコア６を用いる場合、挟み部５２ｅとして、ステータコア６の径方向外面又は径方向内面に開口する形状を用いてもよい。このような構成とすることで、ステータコア６の径方向外面又は径方向内面から加工できるため、挟み部５２ｅを簡単に製造できる。
【００７８】
なお、連結部５ｄによる、ステータユニット２と軸受保持部３との固定は、連結部５によるステータユニット２と軸受保持部３との固定と同じである。すなわち、フック部５１ｄを挟み部５２ｅに挿入し、ステータユニット２を中心軸Ｃ周りにロータユニット１の回転方向Ｒ１と逆方向に回転させる。これにより、ステータユニット２と軸受保持部３とを固定できる。
【００７９】
＜６．送風装置の第５変形例＞
図１２は、本発明の実施形態に係る第５変形例の送風装置の連結部を示す図である。本変形例の連結部５ｅ２では、フック部５１ｅがステータコア６に設けられている以外、第４変形例の連結部５ｅと同じ構成を有している。そのため、本変形例において、連結部５ｅ２以外の詳細な説明は省略する。図１１に示すように、第５変形例における連結部５ｅ２は、フック部５１ｅと、挟み部５２ｅとを備える。フック部５１ｅは軸受保持部３に備えられ、挟み部５２ｄはインシュレータ７に備えられる。
【００８０】
＜６．１  フック部５１ｅ＞
フック部５１ｅは、延伸部５１１ｅと、固定部５１２ｅとを備える。延伸部５１１ｅは、軸受保持部３の下面から下方に延びる。延伸部５１１ｅは、軸方向に延びる板状であり、長手方向が軸方向に沿っており、短手方向が周方向に沿っている。つまり、延伸部５１１ｅは、径方向から見たときに、軸方向が長辺である長方形状である。延伸部５１１ｅは、上端部が径方向に弾性的に変位可能である。
【００８１】
固定部５１２ｅは、延伸部５１１ｅの上端部から径方向外側に向かって突出する。固定部５１２ｅは、固定面５１３ｅと、傾斜面５１４ｅとを備える。固定面５１３ｅは、固定部５１２ｅの上面である。固定面５１３ｅは、中心軸Ｃと直交する面である。傾斜面５１４ｅは、下端部から上方に向かって、径方向に拡がる。そして、傾斜面５１４ｅの上端は、固定面５１３ｅの径方向外縁と接続する。つまり、固定部５１２ｅは、下方に向かって径方向に細くなる楔形である。すなわち、フック部５１ｅは、いわゆる、スナップフィットである。
【００８２】
なお、連結部５ｅにおいて、延伸部５１１ｅが弾性変形することで、挟み部５２ｅに連結される。これにより、ステータユニット２と軸受保持部３とが固定される。なお、延伸部５１１ｅの変形については、第１変形例の５ｂと同じである。
【００８３】
その他の構成については、第４変形例と同じである。
【００８４】
＜７．送風装置の第６変形例＞
図１３は、本発明の実施形態に係る第６変形例の送風装置の連結部を示す図である。本変形例の連結部５ｆでは、挟み部５２ｆがステータコア６に設けられている以外、第３実施形態の連結部５ｅ２と同じ構成を有している。そのため、本変形例において、連結部５ｆ以外の詳細な説明は省略する。図１３に示すように、第６変形例における連結部５ｆは、フック部５１ｅと、挟み部５２ｆとを備える。フック部５１ｅは軸受保持部３に備えられ、挟み部５２ｆはインシュレータ７に備えられる。
【００８５】
＜７．１  フック部５１ｆ＞
フック部５１ｆは、延伸部５１１ｆと、固定部５１２ｆとを備える。延伸部５１１ｆは、軸受保持部３の下面から下方に延びる。延伸部５１１ｆは、軸方向に延びる板状であり、長手方向が軸方向に沿っており、短手方向が径方向に沿っている。つまり、延伸部５１１ｆは、周方向から見たときに、軸方向が長辺である長方形状である。延伸部５１１ｆは、上端部が径方向に弾性的に変位可能である。
【００８６】
固定部５１２ｆは、延伸部５１１ｆの上端部から周方向に突出する。固定部５１２ｆは、固定面５１３ｆと、傾斜面５１４ｆとを備える。固定面５１３ｆは、固定部５１２ｆの上面である。固定面５１３ｆは、中心軸Ｃと直交する面である。傾斜面５１４ｆは、下端部から上方に向かって、周方向に拡がる。そして、傾斜面５１４ｆの上端は、固定面５１３ｆの径方向外縁と接続する。つまり、固定部５１２ｆは、下方に向かって周方向に細くなる楔形である。すなわち、フック部５１ｆは、いわゆる、スナップフィットである。
【００８７】
＜７．２  挟み部５２ｆ＞
挟み部５２ｆは、ステータコア６のコアバック６１に形成される。挟み部５２ｆは、挿入部５２１ｆと、接触部５２２ｆとを備える。そして、挿入部５２１ｆは、コアバック６１の上面から下方に凹む凹部である。挿入部５２１ｆの径方向の長さは、延伸部５１１ｆを軸方向から見たときの径方向の長さと同じかそれよりも長い。そして、挿入部５２１ｆの周方向の幅は、フック部５１ｆを軸方向から見たときの周方向の幅と同じかそれよりも大きい。また、挿入部５２１ｆの深さ、つまり、軸方向の長さは、フック部５１ｆの突出長さ、つまり、軸方向長さと同じかそれよりも長い。
【００８８】
接触部５２２ｆは、挿入部５２１ｆの下端部に設けられる横穴である。そして、接触部５２２ｆの下面には、フック部５１ｆの固定部５１２ｆの固定面５１３ｆが接触する接触面５２３ｆを備える。
【００８９】
なお、連結部５ｆにおいて、延伸部５１１ｆが弾性変形することで、挟み部５２ｆに連結される。これにより、ステータユニット２と軸受保持部３とが固定される。なお、延伸部５１１ｆの変形については、第２変形例の５ｃと同じである。
【００９０】
＜８．利用例＞
図１４は、本発明にかかる送風装置の利用例の一例であるヘアドライヤについて図面を参照して説明する。図１４は、ヘアドライヤの断面図である。図１４に示すヘアドライヤＨｄは、本体部Ｈｄ１と、ヒータＨｔと、ハンドル部Ｈｄ２と、送風装置Ａとを備える。本体部Ｈｄ１は円筒形状である。本体部Ｈｄ１の内部にヒータＨｔが配置される。ハンドル部Ｈｄ２は、円筒形状であるとともに、上端部が本体部Ｈｄ１に接続されている。そして、本体部Ｈｄ１の内部と、ハンドル部Ｈｄ２との内部が、通じている。
【００９１】
本発明にかかる送風装置Ａは、上述したとおり、風量を減らすことなく小径化できる。そのため、ヘアドライヤＨｄでは、ハンドル部Ｈｄ２の内部に図１とは上下反対の状態の送風装置Ａが配置される。そして、ハンドル部Ｈｄ２の下端部から空気を取り入れ、内部を上方に流れる気流が発生する。そして、ハンドル部Ｈｄ２を流れた気流は、本体部Ｈｄ１の内部を軸方向に流れる。このとき、気流は、本体部Ｈｄ１の内部に配置されるヒータＨｔに加熱され、温風となって本体部Ｈｄ１の吐出部から外部に吐出される。
【００９２】
このように、送風装置Ａをハンドル部Ｈｄ２に配置することで、本体部Ｈｄ１に送風装置Ａを置いた場合と同等の気流を吐出できるとともに、本体部Ｈｄ１の軸方向の長さを短くできる。すなわち、ヘアドライヤＨｄを小型化することが可能である。
【００９３】
＜９．その他＞
以上、本発明の実施形態につき説明したが、本発明の範囲はこれに限定されるものでは
なく、発明の主旨を逸脱しない範囲で種々の変更を加えて実施することができる。また、
上記実施形態とその変形例は適宜任意に組み合わせることができる。
【００９４】
以上、本発明の実施形態について説明したが、本発明の趣旨の範囲内であれば、実施形態は種々の変形が可能である。
【産業上の利用可能性】
【００９５】
本発明の送風装置は、例えば、ヘアドライヤ、換気扇、掃除機等の気流を用いた機器の気流発生部として利用することができる。
【符号の説明】
【００９６】
１      ロータユニット
１１      シャフト
１２      マグネット
１３      インペラ
１３１      動翼
２      ステータユニット
２１      コイル
３      軸受保持部
３１、３２  軸受
３３      接触部
３４      フランジ部
４      風洞部
４１      リブ
５      連結部
５１      フック部
５１１      延伸部
５１２      固定部
５１３      固定面
５２      挟み部
５２１      挿入部
５２２      接触部
５２３      接触面
５ｂ    連結部
５１ｂ    フック部
５１１ｂ    延伸部
５１２ｂ    固定部
５１３ｂ    固定面
５１４ｂ    傾斜面
５２ｂ    挟み部
５２１ｂ    挿入部
５２２ｂ    接触部
５２３ｂ    接触面
５ｃ    連結部
５１ｃ    フック部
５１１ｃ    延伸部
５１２ｃ    固定部
５１３ｃ    固定面
５１４ｃ    傾斜面
５２ｃ    挟み部
５２１ｃ    挿入部
５２２ｃ    接触部
５２３ｃ    接触面
５ｄ    連結部
５１ｄ    フック部
５１１ｄ    延伸部
５１２ｄ    固定部
５１３ｄ    固定面
５２ｄ    挟み部
５２１ｄ    挿入部
５２２ｄ    接触部
５２３ｄ    接触面
５ｅ    連結部
５１ｅ    フック部
５１１ｅ    延伸部
５１２ｅ    固定部
５１３ｅ    固定面
５１４ｅ    傾斜面
５２ｅ    挟み部
５２１ｅ    挿入部
５２２ｅ    接触部
５２３ｅ    接触面
５ｆ    連結部
５１ｆ    フック部
５１１ｆ    延伸部
５１２ｆ    固定部
５１３ｆ    固定面
５２ｆ    挟み部
５２１ｆ    挿入部
５２２ｆ    接触部
５２３ｆ    接触面
５ｅ２      連結部
６      ステータコア
６１      コアバック
６２      ティース
７      インシュレータ
７１      上インシュレータ
７２      下インシュレータ
６１０      分割コアバック
７１１      梁上部
７１１      梁状部
Ａ      送風装置
Ｃ      中心軸
Ｈｄ      ヘアドライヤ
Ｈｄ１      本体部
Ｈｄ２      ハンドル部
Ｈｔ      ヒータ
Ｒ１      回転方向
【図１】
2020000669.tif 000003
【図２】
2020000669.tif 000004
【図３】
2020000669.tif 000005
【図４】
2020000669.tif 000006
【図５】
2020000669.tif 000007
【図６】
2020000669.tif 000008
【図７】
2020000669.tif 000009
【図８】
2020000669.tif 000010
【図９】
2020000669.tif 000011
【図１０】
2020000669.tif 000012
【図１１】
2020000669.tif 000013
【図１２】
2020000669.tif 000014
【図１３】
2020000669.tif 000015
【図１４】
2020000669.tif 000016